(57)【要約】【課題】ＵＮＩポート間で信号の折り返しを可能とし、集約局に設置されるＯＬＴ装置と接続しなくても対向構成を構築することができ、ＵＮＩポートに接続された外部制御装置により無線部からのデータ信号のモニタが可能な端末装置を提供することを目的とする。【解決手段】本発明に係るＯＮＵ装置１１は、ＰＯＮシステム２００の光伝送路に接続される無線基地局装置１に備えられるＯＮＵ装置１１であって、無線基地局装置１内の無線部１２が接続されるＰＨＹ部１５、無線基地局装置１外の外部制御装置１０６が接続されるＰＨＹ部１６、ＰＨＹ部１６から出力される切替信号を判定する経路判定部２１、経路判定部２１の判定結果に基づき、ＰＨＹ部１５とＰＨＹ部１６の経路を接続するか否かを選択する経路選択部２０を備えて構成される。【選択図】  図１
2010098493.tif 000002
【特許請求の範囲】
【請求項１】
ＰＯＮシステムの光伝送路に接続される無線基地局装置に備えられる端末装置であって、
前記無線基地局装置内の無線部が接続され当該無線部への入出力信号を終端する第１のＰＨＹ部と、
前記無線基地局装置外の制御装置が接続され当該制御装置への入出力信号を終端する第２のＰＨＹ部と、
前記第２のＰＨＹ部から出力される切替信号を判定する判定部と、
前記判定部の判定結果に基づき、前記第１のＰＨＹ部と前記第２のＰＨＹ部の経路を接続するか否かを選択する経路選択部と、を備える、
端末装置。
【請求項２】
前記切替信号は前記制御装置から前記第２のＰＨＹ部を介して出力される、
請求項１に記載の端末装置。
【請求項３】
前記第２のＰＨＹ部は、
前記制御装置が前記第２のＰＨＹ部と通信可能な状態にあるかを検出するリンク状態検出部と、
前記リンク状態検出部の検出結果に基づき前記切替信号を出力するリンク状態出力部と、を備える、
請求項１に記載の端末装置。
【請求項４】
局側装置と、
前記局側装置に接続され、複数に分岐される光伝送路と、
前記複数の光伝送路にそれぞれ接続される複数の無線基地局装置と、を備え、
少なくとも一の前記無線基地局装置は、
請求項１から請求項３のいずれかに記載の端末装置を備え、前記端末装置は、前記光伝送路と接続され、前記局側装置との間でＰＯＮインターフェースを実現する、
ＰＯＮシステム。
【発明の詳細な説明】
【技術分野】
【０００１】
この発明は、ＰＯＮシステムの光伝送路に接続される無線基地局装置に備えられる端末装置およびＰＯＮシステムに関する。
【背景技術】
【０００２】
無線システムにおけるＩＰ化として、集約局に設けられた局側終端装置と無線基地局側に組み込まれる基地局側終端装置とを光ファイバで接続するシステムが考えられる。ここで、局側終端装置と基地局側終端装置を１対１の専用線で接続すると、設置のコストが高くなる。
【０００３】
そこで、１対１の専用線を設置しないシステムとして、局側終端装置からのデータの入出力を行う１本の光ファイバを受動素子である光カプラで複数本に分岐し、分岐先に各基地局側終端装置を接続するＰＯＮ（Passive Optical Network）システムがある。その中でもEthernet（登録商標）技術を利用したものにＧＥ−ＰＯＮ（Gigabit Ethernet-Passive Optical Network）システムがある。
【０００４】
このとき、基地局側終端装置として、特許文献１の実施例にて記載されているような複数のＵＮＩポートを有する端末装置であるＯＮＵ（Optical Network Unit）装置を使用し、局側終端装置であるＯＬＴ（Optical Line Terminal）装置からの下り信号を全ＵＮＩポートに転送することで、モニタポートにて無線部へ伝送される主信号データをモニタすることが可能である。
【０００５】
【特許文献１】特開２００７−２４３８６１号公報
【発明の開示】
【発明が解決しようとする課題】
【０００６】
しかしながら、従来のシステムでは、ＯＮＵ装置においてＵＮＩポート間の折り返し機能はサポートされていないため、ＵＮＩポートに接続された無線部からのデータ信号をモニタするためには、受信側装置であるＯＬＴ装置を接続し確認する必要があった。このとき、無線部からのデータ信号をモニタする目的としては、集約局側に送信しているデータ内容の確認や、無線端末からＯＮＵ装置へ送信されるデータ信号が経路途中でロスすることなく伝送されているかの確認等がある。一般に無線基地局は街中に設置されており、ＯＬＴ装置が設置される集約局とは距離があるため、無線基地局の設置場所で上り信号をモニタするには、無線基地局側と集約局側で別途連絡をとる必要がある、あるいは無線基地局の設置場所にモニタ用のＯＬＴ装置を設置する必要があるという問題点があった。
【０００７】
本発明は上述の問題を解決するためになされたものであり、ＵＮＩポート間で信号の折り返しを可能とし、集約局に設置されるＯＬＴ装置と接続しなくても対向構成を構築することができ、ＵＮＩポートに接続された外部制御装置により無線部からのデータ信号のモニタが可能な端末装置を提供することを目的とする。
【課題を解決するための手段】
【０００８】
本発明に係る端末装置は、ＰＯＮシステムの光伝送路に接続される無線基地局装置に備えられる端末装置であって、無線基地局装置内の無線部が接続される第１のＰＨＹ部、無線基地局装置外の制御装置が接続される第２のＰＨＹ部、第２のＰＨＹ部から出力される切替信号を判定する判定部、判定部の判定結果に基づき、第１のＰＨＹ部と第２のＰＨＹ部の経路を接続するか否かを選択する経路選択部を備えて構成される。
【発明の効果】
【０００９】
本発明に記載の端末装置では、各ＰＨＹ部に接続された経路選択部により、ＰＨＹ部間で伝送信号の折り返しが可能となり、集約局に設置されるＯＬＴ装置と接続することなく、その場で対向構成を構築することができる。従って、無線端末からの伝送信号をモニタする場合、端末装置から距離がある可能性の高いＯＬＴ装置を用いず、伝送信号の折り返しによりＰＨＹ部に接続された制御装置を用いてその場でモニタすることが可能である。
【発明を実施するための最良の形態】
【００１０】
以下、この発明をその実施の形態を示す図面に基づいて具体的に説明する。
【００１１】
＜実施の形態１＞
（構成）
以下、この発明の実施の形態を図に基づいて説明する。図１に本実施の形態に係るＰＯＮシステム２００のブロック図を示す。図１に示すＰＯＮシステム２００では、上位装置と接続されるＯＬＴ装置（局側装置）１０１を備え、ＯＬＴ装置１０１は光伝送路である光ファイバによりＯＬＴ装置１０１のＰＯＮインターフェースから出力された光（データ）を分岐する分岐器１０２に接続される。
【００１２】
分岐器１０２は、光ファイバ１０３〜１０５を介して、無線端末などの下位装置（図示せず）と無線通信を行う無線基地局装置１〜３と接続される。すなわち、ＰＯＮシステム２００はＯＬＴ装置１０１に接続され複数に分岐される光伝送路を備え、無線基地局装置１〜３はＰＯＮシステム２００の光伝送路である光ファイバ１０３〜１０５にそれぞれ接続される。
【００１３】
無線基地局装置１〜３は同様の構成であるため、ここでは無線基地局装置１の構成について説明する。無線基地局装置１は、内部にＯＮＵ装置（端末装置）１１、無線部１２、モニタポート１９を備え、ＯＮＵ装置１１は無線部１２、モニタポート１９と接続される。
【００１４】
ＯＮＵ装置１１はＯＬＴ装置１０１との間で光（データ）信号を送受信する光トランシーバ１３を備え、光ファイバ１０３を介して分岐器１０２と接続される。ＰＯＮ信号をあらかじめ設定された内容にしたがって制御を行うＰＯＮ制御部１４が光トランシーバ１３に接続される。すなわち、ＯＮＵ装置１１は光伝送路と接続され、ＯＬＴ装置１０１との間でＰＯＮインターフェースを実現する。また、ＯＮＵ装置１１は、無線部１２とＬＡＮインターフェース１７を介して接続され、無線部１２への入出力信号を終端する物理層としてのＰＨＹ部（第１のＰＨＹ部）１５と、後述する外部制御装置（制御装置）１０６と接続されたモニタポート１９とＬＡＮインターフェース１８を介して接続され、外部制御装置１０６への入出力信号を終端する物理層としてのＰＨＹ部（第２のＰＨＹ部）１６を備える。
【００１５】
さらに、ＰＨＹ部１５、ＰＨＹ部１６およびＰＯＮ制御部１４と接続され、ＰＨＹ部１５、ＰＨＹ部１６とＰＯＮ制御部間のデータ伝送経路を切り替える経路選択部２０と、ＰＨＹ部１６および経路選択部２０と接続されＰＨＹ部１６から出力される経路切替要求コマンド（切替信号）を判定し、判定結果である経路選択信号を経路選択部２０に出力する経路判定部（判定部）２１を備えている。経路判定部２１はＰＨＹ部１６から出力される経路切替要求コマンドを判定し、経路選択部２０は経路判定部２１の判定結果に基づき、ＰＨＹ部１５とＰＨＹ部１６の経路を接続するか否かを選択する機能を備える。
【００１６】
無線部１２は無線基地局装置１の外部に設けられたアンテナと接続され、モニタポート１９は無線基地局装置１の外部に設けられた外部制御装置１０６と接続される。すなわち、ＰＨＹ部１６はモニタポート１９を介して無線基地局装置１の外部に有する外部制御装置１０６と接続される。
【００１７】
（動作）
次に、動作の説明を行う。
【００１８】
光ファイバ１０３〜１０５により伝送された光（データ）は、無線基地局装置１〜３のＯＮＵ装置１１の光トランシーバ１３から入力される。ＯＮＵ装置１１は、ＵＮＩ（User Network Interface）ポートを介して、無線部１２と接続されている。ＰＯＮシステム２００は、図１のように構成することで、上位装置と下位装置との間で信号の転送を行い、無線ネットワークを構築している。
【００１９】
通常、ＯＮＵ装置１１において、経路選択部２０はＰＯＮ制御部１４とＰＨＹ部１５、ＰＯＮ制御部１４とＰＨＹ部１６を接続する経路が選択されており、ＯＬＴ装置１０１から送信される下り信号を、装置内の複数のＵＮＩポートに等しく配信することができる。また、無線部１２からの上り信号をＯＬＴ装置１０１へ転送することができる。なお、上り信号及び下り信号がＩＥＥＥ８０２．３規格に準拠した信号であれば、図３に示すようなデータ構造となっている（括弧内はバイト数を示す。）。
【００２０】
次に、図１に示すように、無線基地局装置１の外部に外部制御装置１０６を接続し、無線部１２と対向構成を構築する場合について説明する。まず、外部制御装置１０６をモニタポート１９に接続し、ＰＨＹ部１６とリンクを確立する。リンクが確立された状態で、外部制御装置１０６からＯＮＵ装置１１へ経路切替要求コマンドが転送される。このとき、経路切替要求コマンドとして、図３に示したフレーム構造において、Ｔｙｐｅ／Ｌｅｎｇｔｈが０ｘＦＦＦＦであるものと定義する。入力された信号は、ＰＨＹ部１６を介して、経路判定部２１へ転送される。すなわち、経路切替要求コマンドは外部制御装置１０６からＰＨＹ部１６を介して出力される。
【００２１】
経路判定部２１および経路選択部２０での処理シーケンスを図４に示す。経路判定部２１では、図３に示すデータ構造の信号の先頭箇所である、プリアンブルパターンの入力を検出する（ステップＳ１）。プリアンブルパターンを検出したら、バイト数をカウントしＴｙｐｅ／Ｌｅｎｇｔｈの値を検出する（ステップＳ２）。検出した結果、経路切替要求コマンドを示す０ｘＦＦＦＦであった場合、経路切替要求コマンドが送信されたことを認識し、その後のデータ部のデータを判定し切替処理を行う（ステップＳ３Ｙ）。つまり、データが０ｘ１０であれば折り返し設定として経路の切替を行う経路選択信号を経路選択部２０へ出力し、経路選択部２０はＰＨＹ部１５とＰＨＹ部１６の経路を接続する（ステップＳ４）。
【００２２】
Ｔｙｐｅ／Ｌｅｎｇｔｈが経路切替要求コマンドを示す０ｘＦＦＦＦで無かった場合は、経路の切替に関する処理は行われない（ステップＳ２Ｎ）。また、ステップＳ３においてデータが０ｘ１０でなかった場合（ステップＳ３Ｎ）、データが０ｘ２０であるか否かの検出が行われ（ステップＳ５）、データが０ｘ２０であった場合は（ステップＳ５Ｙ）、経路判定部２１は通常の経路に切り替える経路選択信号を経路選択部２０へ出力し、経路選択部２０は通常の経路に切り替える（ステップＳ６）。ステップＳ５においてデータが０ｘ２０でなかった場合は（ステップＳ５Ｎ）、経路の切替に関する処理は行われない。
【００２３】
（効果）
図５は、特許文献１に記載されたような複数のＵＮＩポートを有するＯＮＵ装置１１を無線システムに適用した場合の機能ブロック図である。このように従来のＯＮＵ装置１１においては、ＵＮＩポート間の折り返し機能はサポートされていないため、無線部１２からのデータ信号をモニタするためには、受信側装置であるＯＬＴ装置１０１を接続し確認する必要があった。
【００２４】
それに対して、本実施の形態に係るＯＮＵ装置１１では、外部制御装置１０６からのデータ伝送を行うＰＨＹ部１６と、ＰＨＹ部１６からの転送データから経路切替要求コマンドを検出し、転送された経路切替要求コマンドに応じて判定結果である経路選択信号を出力する経路判定部２１と、経路判定部２１からの経路選択信号によって、ＰＨＹ部１５とＰＨＹ部１６間の経路を接続する経路選択部２０とを備えるので、無線基地局装置１のモニタポート１９に接続した外部制御装置１０６と、無線部１２との間で対向構成を構築することができる。従って、無線部１２で受信した信号データをモニタする場合、距離がある可能性の高いＯＬＴ装置１０１ではなく、外部制御装置１０６を用いてその場で行うことが可能である。
【００２５】
＜実施の形態２＞
（構成）
本実施の形態に係るＰＯＮシステムのブロック図を図２に示す。ＯＮＵ装置１１以外の構成については、図１と同様であるので、詳細な説明は省略する。
【００２６】
本実施の形態に係るＯＮＵ装置１１は、図１と比較して、特にモニタポート１９と接続されるＰＨＹ部１６の構成が異なる。ＰＨＹ部１６は、モニタポート１９と接続され信号の送受信を行う送信部３３および受信部３４、受信部３４と接続され外部制御装置１０６がＰＨＹ部１６と通信可能な状態にあるかを検出するリンク状態検出部３５、リンク状態検出部３５と接続されリンク状態検出部３５の検出結果に基づきリンク状態信号（切替信号）を出力するリンク状態出力部３２、送信部３３および受信部３４と接続されるＭＩＩインターフェース部３１を備える。
【００２７】
また、ＭＩＩインターフェース部３１は経路選択部２０と接続され、リンク状態出力部３２は経路判定部２１と接続される。ＯＮＵ装置１１のその他の構成については図１と同様であるので、ここでの詳細な説明は省略する。
【００２８】
（動作）
本実施の形態に係るＰＯＮシステム２００の動作について、特にＯＮＵ装置１１の動作を説明する。
【００２９】
通常、ＯＮＵ装置１１において、経路選択部２０はＰＯＮ制御部１４とＰＨＹ部１５、ＰＯＮ制御部１４とＰＨＹ部１６を接続する経路が選択されており、ＯＬＴ装置１０１から送信される下り信号を、装置内の複数のＵＮＩポートに等しく配信することができる。また、無線部１２からの上り信号をＯＬＴ装置１０１へ転送することができる。
【００３０】
次に、図２に示すように、無線基地局装置１の外部に外部制御装置１０６を接続し、無線部１２と対向構成を構築する場合について説明する。まず、外部制御装置１０６をモニタポート１９に接続する。モニタポート１９に接続されたＰＨＹ部１６では、リンク状態検出部３５でリンクアップ状態が検出され、その情報を元にリンク状態出力部３２から経路判定部２１へリンクアップ状態を示すリンク状態信号が通知される。経路判定部２１はＰＨＹ部１６からのリンク状態信号によって経路判定を行い、判定結果として経路選択信号を経路選択部２０へ通知する。経路選択部２０は、リンクアップ状態であれば折り返しの経路を、リンク断状態であれば通常の経路を選択することとする。すなわち、経路判定部２１からの経路選択信号により、経路選択部２０では経路の切替を行い、リンクアップ状態であればＰＨＹ部１５とＰＨＹ部１６の経路を接続する。
【００３１】
（効果）
以上のように、本実施の形態に係るＯＮＵ装置１１では、外部制御装置１０６からのデータ伝送を行うＰＨＹ部１６と、ＰＨＹ部１６からのリンク状態信号に応じて経路選択信号を出力する経路判定部２１と、経路判定部２１からの経路選択信号によって、ＰＨＹ部１５とＰＨＹ部１６間の経路を接続する経路選択部２０とを備えるので、実施の形態１のように外部制御装置１０６からの経路切替要求コマンドによる制御がなくても、無線基地局装置１のモニタポート１９に外部制御装置１０６を接続しリンクするだけで、無線部１２との間で対向構成を構築することが可能である。
【図面の簡単な説明】
【００３２】
【図１】本発明の実施の形態１に係るＰＯＮシステムのブロック図である。
【図２】本発明の実施の形態２に係るＰＯＮシステムのブロック図である。
【図３】本発明の実施の形態１に係るＰＯＮシステムで送受信される信号の概略図である。
【図４】本発明の実施の形態１に係るＰＯＮシステムの経路判定シーケンス図である。
【図５】従来のＰＯＮシステムを無線システムに適用した場合のブロック図である。
【符号の説明】
【００３３】
１，２，３  無線基地局装置、１１  ＯＮＵ装置、１２  無線部、１３  光トランシーバ、１４  ＰＯＮ制御部、１５，１６  ＰＨＹ部、１７、１８  ＬＡＮケーブル、１９  モニタポート、２０  経路選択部、２１  経路判定部、３１  ＭＩＩインターフェース部、３２  リンク状態出力部、３３  送信部、３４  受信部、３５  リンク状態検出部、１０１  ＯＬＴ装置、１０２  分岐器、１０３、１０４，１０５  光ファイバ、１０６  外部制御装置、２００  ＰＯＮシステム。
【図１】
2010098493.tif 000003
【図２】
2010098493.tif 000004
【図３】
2010098493.tif 000005
【図４】
2010098493.tif 000006
【図５】
2010098493.tif 000007